(57)【特許請求の範囲】
【請求項１】
天板を前後移動手段で定位置（後退位置）と前進位置との間で移動可能にし、天板下方に形成したディスプレイ収納部の開口部を天板の後端側で開閉させると共に、支持手段に取り付けたディスプレイを昇降移動手段で天板上方の設置位置まで移動可能にし、前進位置で開口部を介して設置位置まで上昇させたディスプレイを、定位置に後退させた天板上方の設置位置で支持するようにし、前記支持手段は、前記天板の後端縁と係脱可能な係止保持部を設け、定位置に後退させた天板の後端縁と係合して天板上方でディスプレイを保持することを特徴としたディスプレイ内蔵デスク。
【請求項２】
前記昇降移動手段は、昇降案内軸に沿って昇降可能な移動筒を設けると共に、昇降案内軸と平行状にラックを設けてビニオンと噛み合わせ、このビニオンを前記移動筒に装着した下降方向に制動作用を与える回転ダンパの回転軸に取付け、手動操作による前記支持手段の引き上げ及び押し下げで前記移動筒を作動し、前記ディスプレイを昇降移動する請求項１に記載したディスプレイ内蔵デスク。
【発明の詳細な説明】
【０００１】
【発明の属する技術分野】
本発明は、ＯＡ機器のディスプレイを内蔵したデスクであって、不使用時にはディスプレイを天板の下方に収納させておき、使用時には天板の上方に設置できるように、ディスプレイを移動可能にしたディスプレイ内蔵デスクに関する。
【０００２】
【従来の技術】
この種のディスプレイ内蔵デスクには、例えば特公平６−２２４８６号公報や特開２０００−２３７５９号公報などに開示されているように、昇降移動手段で移動可能に支持したディスプレイを、天板下方の収納部に収納すると共に、天板後端側の一部に開き戸形式に開閉する蓋板を設け、この蓋板を開いて形成した開口部を介してディスプレイを天板上方へ移動させる形態のものがある。
【０００３】
また、例えば特開平１０−３０７６４５号公報や特開２０００−７００４８号公報などに開示されているように、上面を被覆する蓋板を備えたケース又は枠体に収納し、昇降移動手段で移動可能に支持したディスプレイを、天板下方の収納部に収納すると共に、天板後端側の一部に穴又は切欠などによる開口部を設け、この開口部を介してディスプレイを天板上方へ移動させる形態のものがある。
【０００４】
【発明が解決しようとする課題】
これら従来技術では、ディスプレイを天板上方へ移動させた状態において、開口部がそのまま開口状態であるか、少なくとも開口部の内周面に隙間のある状態になるので、天板上に置いてある書類や物品が内部に落下したり、周辺から塵埃が侵入する虞がある。
【０００５】
また、ディスプレイを天板下方の収納部に収納した状態では、天板と蓋板との境界に段差や隙間などを生ずる虞があり、寸法精度の向上を図る必要があること、平坦な天板面に比べて見栄えや使い勝手が悪くなったり、天板上に置いてある書類や物品が内部に落下したり、周辺から塵埃が侵入する虞がある。
【０００６】
そこで本発明では、これら従来技術における課題を解決し得るディスプレイ内蔵デスクの提供を目的とし、ディスプレイを天板下方の収納部に収納した状態では勿論、ディスプレイを天板上方へ移動させた状態でも、平坦な天板面を確保できるようにしたディスプレイ内蔵デスクを提供する。
【０００７】
【課題を解決するための手段】
本発明のディスプレイ内蔵デスクは、天板を前後移動手段で定位置（後退位置）と前進位置との間で移動可能にし、天板下方に形成したディスプレイ収納部の開口部を天板の後端側で開閉させると共に、支持手段に取り付けたディスプレイを昇降移動手段で天板上方の設置位置まで移動可能にし、前進位置で開口部を介して設置位置まで上昇させたディスプレイを、定位置に後退させた天板上方の設置位置で支持する構成とした。
【０００８】
このディスプレイ内蔵デスクでは、天板を前後移動手段で前進位置に移動させると、ディスプレイ収納部の上方に開口部が形成され、昇降移動手段によってディスプレイを容易に設置位置まで上昇できると共に、設置位置に上昇させたディスプレイを定位置に後退させた天板上方に支持することができる。
【０００９】
これにより、ディスプレイを設置位置に上昇させた状態及び収納位置に下降させた際に、定位置に後退させた天板が段差や隙間のない状態で開口部を閉塞することができるので、天板上に置いてある書類や物品が内部に落下したり、周辺から塵埃が侵入すること、などの従来技術における課題は解決される。
【００１０】
また、開口部に蓋部材を嵌合させて閉塞する従来技術とは異なり、蓋部材を整合させるために寸法精度の向上を図る必要はなく段差や隙間のない平坦な天板面を形成するので、見栄えが良くて使い勝手も良くなるなどの点でも、従来技術における課題は解決される。
【００１１】
前記ディスプレイ内蔵デスクにおける前記支持手段には、前記天板の後端縁と係脱可能な係止保持部を設け、定位置に後退させた天板の後端縁と係合して天板上方でディスプレイを保持する形態を採ることができる。
【００１２】
この形態によるディスプレイ内蔵デスクでは、定位置に後退させた天板の後端縁が係止保持部と係合することによって、外部から過大な押し下げ力が作用した場合でもディスプレイを設定位置に保持することができると共に、昇降移動手段に過大な押し下げ力が作用しないようにして、損傷を防ぐことができる。
【００１３】
前記ディスプレイ内蔵デスクにおける前記昇降移動手段は、昇降案内軸に沿って昇降可能な移動筒を設けると共に、昇降案内軸と平行状にラックを設けてビニオンと噛み合わせ、このビニオンを前記移動筒に装着した下降方向に制動作用を与える回転ダンパの回転軸に取付け、手動操作による前記支持手段の引き上げ及び押し下げで前記移動筒を作動し、前記ディスプレイを昇降移動する形態を採ることができる。
【００１４】
この形態によるディスプレイ内蔵デスクでは、電動操作に比べて安価に提供することが可能であり、ラックとビニオンを併用させたことによって確実且つ円滑な昇降移動を行うことができると共に、特に下降方向に制動作用を与える回転ダンパを用いたことで、使用者の安全確保並びに昇降移動手段の破損に対する保護を図ることができる。
【００１５】
【発明の実施の形態】
以下、本発明のディスプレイ内蔵デスクについて、その好適な実施形態を示す図１〜４の添付図面に基づいて詳細に説明するが、図１は本発明を適用したディスプレイ内蔵デスクの全体斜視図、図２は側面側から見た要部の縦断面図、図３は背面側から要部の縦断面図、図４は昇降移動手段の部分拡大断面図である。
【００１６】
図示の実施形態は、例えば学校などの授業に使用される２人用のデスクに本発明を適用したディスプレイ内蔵デスクであるが、１人用或いは３人以上のデスクにも適用が可能であり、また学校の授業用以外の会社や自宅のＯＡデスクにも適用することができる。
【００１７】
デスク１は、底面に高さ調整用アジャスターを設けた脚台２（２Ａ，２Ｂ）上に脚パネル３（３Ａ，３Ｂ）を立設して左右に配置すると共に、底面に高さ調整用アジャスターを設けた箱形のＣＰＵ収納部４を中央に配置し、脚パネル３とＣＰＵ収納部４の上部には天板５（５Ａ，５Ｂ）を架設状態で装着し、脚パネル３とＣＰＵ収納部４の間には、引き出し式のキーボード載置台６（６Ａ，６Ｂ）及び、箱形のディスプレイ収納部７（７Ａ，７Ｂ）を備えている。
【００１８】
このデスク１には、前面に開き戸８  を設けたＣＰＵ収納部４にＣＰＵ（図示を省略）を、キーボード載置台６にキーボード（図示を省略）を、ディスプレイ収納部７にディスプレイ９（９Ａ，９Ｂ）をそれぞれ収納させるが、特にディスプレイ収納部７に収納したディスプレイ９は、必要に応じて天板５上方の設置位置に移動させた状態で使用することができる。
【００１９】
ディスプレイ収納部７は、左右がＰＵ収納部４の側板と脚パネル３によって仕切られ、前後は前面パネル１０と背面パネル１１によって仕切られ、上部は開口して底部には底板１２を設けて形成した箱形であり、背面パネル１１は両側がＰＵ収納部４の側板と脚パネル３で支持された方形状の背面枠１３に対し、取り外し可能に取り付けられている。
【００２０】
ディスプレイ９は、不使用時は天板５下方のディスプレイ収納部７内の収納位置（図２の仮想線で示すように）まで下降し、使用時には天板５上方の設置位置まで上昇（図２の実線で示すように）できるように、支持手段１５に取り付けられた状態で昇降移動手段１４に連結されている。
【００２１】
また、ディスプレイ収納部７の上部開口側は天板５で閉塞されているので、ディスプレイ９の通過を可能にする開口部１６を確保できるように天板５を移動させると共に、ディスプレイ９が収納位置又は設置位置に移動した状態では、天板５を定位置に復元させて開口部１６を閉塞する必要があり、天板５は前進位置（図２の仮想線で示す）と後退した定位置（図２の実線で示す）の間を、前後移動手段１７によって移動可能にしている。
【００２２】
昇降移動手段１４は、連結部材を介して下端側を底板１２に上端側を背面枠１３に固着した傾斜状の２本の昇降案内軸１８を、ディスプレイ９の両側位置へ平行状に配置させ、各昇降案内軸１８の外周にはそれぞれ移動筒１９を嵌合すると共に、各移動筒１９の間は架設状態の移動支持板２０で連結し、移動支持板２０にはディスプレイ９を取り付ける支持手段１５が連結されている。
【００２３】
支持手段１５は、天板５の後端縁２１に嵌合するコ字状の係止保持部２２を移動支持板２０の上方に取付け、係止保持部２２には連結部材２３を介してパイプを逆Ｕ字状に折り曲げ形成した支持アーム２４を取付けると共に、連結部材２３には係止保持部２２の開口側に位置させて天板５の嵌合を案内するガイドローラ２５を設けている。
【００２４】
支持アーム２４には、ディスプレイ９に対する取付け板２６を設け、この取付け板２６にねじその他の固着手段を介してディスプレイ９の背面側を連結させ、支持アーム２４の湾曲した上端側はディスプレイ９を移動させる際に把持する取っ手２７にしている。
【００２５】
昇降移動手段は、必要最小限度の構成として、昇降移動をガイドする案内部材と、案内部材に沿って昇降移動される移動部材を備えていれば良いが、図示の実施形態における昇降移動手段１４のように、昇降案内軸１８と移動筒１９で構成した場合に、ディスプレイ９の荷重を受けて円滑な安定した昇降作動が得られ難い場合もあるので、昇降作動を助勢する手段を付加させている。
【００２６】
すなわち、一方向に制動が作用する回転ダンパ２８を、移動支持板２０の左右に取付け金具２９を介してそれぞれ取付けると共に、この回転ダンパ２８の回転軸にビニオン３０を取付け、各昇降案内軸１８に沿って左右にそれぞれ平行状に配置したラック３１にビニオン３０を噛み合わせた状態にしている。
【００２７】
これにより、昇降移動手段１４を昇降案内軸１８と移動筒１９のみで構成すると、ディスプレイ９の荷重を受けて円滑な安定した昇降作動が得られ難い場合もあるが、ビニオン３０とラック３１を併用することによって、一方ではビニオン３０がラック３１に沿って他方では移動筒１９が昇降案内軸１８に沿って円滑な安定した昇降作動を行う。
【００２８】
また回転ダンパ２８には、例えば特開２０００−１９９５３６公報に開示されているように、粘性流体を用いて回転方向の一方には高トルクで他方には低トルクで作動する回転ダンパを使用し、下降方向に対しては制動作用で緩やかで安全な移動を行うようにすると共に、上昇方向に対しては迅速で円滑な移動が行われるようにし、下降時の衝撃による装置の損傷や人体に対する安全確保を行う。
【００２９】
この昇降移動手段１４では、取っ手２７を把持して支持アーム２４を引き上げ又は引き下げると、ラック３１に噛合したビニオン３０が回転しながら昇降案内軸１８に沿って移動筒１９を移動できるので、移動筒１９に連結されている移動支持板２０、係止保持部２２、取付け板２６、ディスプレイ９などが一体となって、収納位置と設置位置との間を移動させることができる。
【００３０】
なお昇降移動手段として、図示の実施形態では安価で制御を必要としない手動による昇降移動手段１４を使用しているが、これに限定されず前記従来技術で使用しているものを含む電動又は手動による公知の各種昇降移動手段の使用が可能である。
【００３１】
例えば、回転ダンパ２８に代えてモータを取り付ける構成にしたり、昇降案内軸１８を送りねじにして下端側をモータに連結させ、移動筒１９に内ねじを設けて送りねじに螺合してラック３１及びビニオン３０を省略した構成にすると、電動で昇降移動させることができる。
【００３２】
電動による昇降移動手段の場合には、ディスプレイ９が設置位置になったところでモータの駆動を停止すればよいので、移動筒１９に当接して設置位置を検出するリミットスイッチなどを設けた構成を採ることができる。
【００３３】
支持手段１５に設けた係止保持部２２は、図示の実施形態ではコ字状にして天板５の後端縁２１を嵌合した状態で係止保持することで、ディスプレイ９の荷重は係止保持部２２の上片を介して天板５で受けるようにしたが、他の形態としては、スライドした天板５の後端縁２１が係止保持部２２上に載置される状態で係合するように、上片のない逆Ｌ字状に形成することも可能である。
【００３４】
前後移動手段１７は、天板５下方の左右へ平行状に配置された一対の固定レール３２と可動レール３３によるスライドレールで構成され、固定レール３２と可動レール３３の間にはボールベアリングやローラなどの転動部材を介在させ、可動レール３３を天板５の下面に取付け、前進位置と定位置（後退位置）との間を移動可能にしている。
【００３５】
この前後移動手段１７では、天板５を前進位置まで引き出すと、天板５の後端側には移動するディスプレイ９の通過を可能にする開口部１６が形成され、天板５を押し戻して定位置（後退位置）に復元させると、天板５の後端側によって開口部１６を閉塞させることができる。
【００３６】
また、天板５を前進位置に引き出した後に、開口部１６を介して設置位置にディスプレイ９を上昇させた状態にし、天板５を定位置（後退位置）に復元させると、天板５の後端縁２１が係止保持部２２に嵌合され、ディスプレイ９を天板５上方に保持させることができ、再度天板５を前進位置に引き出すと、係止保持部２２との嵌合が解除され、ディスプレイ９を収納位置へ下降できる。
【００３７】
キーボート載置台６は、一般的な金属机の引き出しなどで使用されているように、例えば転動するローラが装着されたガイドレールを両側に配置し、キーボート載置台６の両側面にはローラを摺動する状態でガイドレールに沿って案内される案内溝を形成（又は案内溝部材を取付け）した引き出し機構を用いている。
【００３８】
本発明における前後移動手段は、図示の前後移動手段１７に限定されるものではなく、公知の適宜な直進運動機構や昇降移動手段の場合と同様の手段を用いて手動又は電動にすることも可能であり、また図示の実施形態では水平に前後移動させているが、デスクに対する天板の装着状態によっては、上向き傾斜状に前後移動させる場合もある。
【図面の簡単な説明】
【図１】本発明を適用したディスプレイ内蔵デスクの全体斜視図を示す。
【図２】図１のデスクを側面側から見た要部の縦断面図を示す。
【図３】図１のデスクを背面側から要部の縦断面図を示す。
【図４】図１のデスクにおける昇降移動手段の部分拡大断面図を示す。
【符号の説明】
１  デスク
２  脚台
３  脚パネル
４  ＣＰＵ収納部
５  天板
６  キーボード載置台
７  ディスプレイ収納部
８  開き戸
９  ディスプレイ
１０  前面パネル
１１  背面パネル
１２  底板
１３  背面枠
１４  昇降移動手段
１５  （ディスプレイ９の）支持手段
１６  開口部
１７  前後移動手段
１８  昇降案内軸
１９  移動筒
２０  移動支持板
２１  （天板５の）後端縁
２２  係止保持部
２３  連結部材
２４  支持アーム
２５  ガイドローラ
２６  取付け板
２７  取っ手
２８  回転ダンパ
２９  取付け金物
３０  ビニオン
３１  ラック
３２  固定レール
３３  可動レール
【図１】
0003600788.tif 000002
【図２】
0003600788.tif 000003
【図３】
0003600788.tif 000004
【図４】
0003600788.tif 000005